(57)【要約】    【課題】面倒なページ捲り操作を要することなく、簡単な創意工夫で所望のシート片を常に最優先して見ることのできる実用性に優れたアルバムを提供する。  【解決手段】第１及び第２の台紙１ａ、１ｂの両端部にテープ部材２が巻回されると共に、巻回方向が前記テープ部材２と逆方向となるように第１及び第２の台紙１ａ、１ｂの両端部を除く所定領域に帯状長尺のシート片保持部材３が巻回されている。また、テープ部材２及びシート片保持部材３が平面視略Ｓ字状となるように第１の台紙１ａと第２の台紙１ｂとが懸架されると共に該第１及び第２の台紙１ａ、１ｂが対向可能とされている。そして第１及び第２の台紙１ａ、１ｂを矢印Ｂ、Ｃ方向に回動させると第１の台紙１ａと第２の台紙１ｂとの対向面同士が反転する。  【選択図】図２
2004338416.tif 000002
【特許請求の範囲】
【請求項１】
第１及び第２の台紙の両端部にテープ部材が巻回されると共に、巻回方向が前記テープ部材と逆方向となるように前記第１及び第２の台紙の前記両端部を除く所定領域に帯状長尺のシート片保持部材が巻回され、
かつ、前記テープ部材及び前記シート片保持部材が平面視略Ｓ字状となるように前記第１の台紙と前記第２の台紙とが懸架されると共に該第１及び第２の台紙が対向可能とされ、
前記第１及び第２の台紙を対向状態から互いに逆方向に回動させたときに前記第１の台紙と前記第２の台紙との対向面同士が反転するように構成されていることを特徴とするアルバム。
【請求項２】
前記テープ部材と前記シート片保持部材との長尺寸法が略同一寸法に形成されると共に、前記第１及び第２の台紙は前記テープ部材及び前記シート片保持部材の巻数に応じて複数回の反転が可能とされることを特徴とする請求項１記載のアルバム。
【請求項３】
前記テープ部材及び前記シート片保持部材の一端は前記第１の台紙に固着されると共に、他端は前記第２の台紙に固着されることを特徴とする請求項１又は請求項２記載のアルバム。
【請求項４】
前記シート片保持部材は、透明状のポケット型部材からなることを特徴とする請求項１乃至請求項３のいずれかに記載のアルバム。
【請求項５】
前記シート片保持部材は、粘着剤が塗布されたシート状部材と、該シート状部材に貼着可能とされた透明状の離形フィルムとからなることを特徴とする請求項１乃至請求項３のいずれかに記載のアルバム。
【請求項６】
前記シート片保持部材は、透明状のポケット型部材からなると共に、前記第１及び第２の台紙上で前記ポケット型部材は複数に分割されていることを特徴とする請求項１乃至請求項３のいずれかに記載のアルバム。
【請求項７】
前記シート片保持部材に保持されるシート片には、写真、シール部材、切手、葉書、領収書、パンフレットが含まれることを特徴とする請求項１乃至請求項６のいずれかに記載のアルバム。
【発明の詳細な説明】
【技術分野】
【０００１】
本発明は、写真、シール部材、切手、葉書、領収書、パンフレット等のシート片を保存するためのアルバムに関する。
【背景技術】
【０００２】
従来より、写真等のシート片を保存するアルバムとしては、複数の厚紙台紙を表紙間に積層して端部が綴じられた形状を有するものが一般的であり、需要者は所望のシート片を各厚紙台紙上に貼り付け、見開き状態にして閲覧することができる。
【０００３】
また、写真等のシート片を保持するための手段としては、透明合成樹脂からなる保持ポケットを使用したものが提案され（特許文献１）、また厚紙台紙の表面に接着剤を塗布し、該接着剤の上面を剥離自在の透明フィルムで覆ったものが提案されている（特許文献２）。
【０００４】
【特許文献１】実公昭４９−１３５４１号公報
【特許文献２】実公昭５０−２０７４７号公報
【発明の開示】
【発明が解決しようとする課題】
【０００５】
しかしながら、従来の既存のアルバムは、上述したように表紙間の厚紙台紙上に写真等のシート片を順次保持しておき、需要者が所望のシート片を見つけたい場合は、本のように厚紙台紙を捲って所望のシート片を見つけ出さねばならず、このため所望のシート片を見つけ出すのに手間を要し、使い勝手が悪いという問題点があった。
【０００６】
本発明はこのような事情に鑑みなされてものであって、面倒なページ捲り操作を要することなく、簡単な創意工夫で所望のシート片を常に最優先して見ることのできる実用性に優れたアルバムを提供することを目的とする。
【課題を解決するための手段】
【０００７】
上記目的を達成するために本発明に係るアルバムは、第１及び第２の台紙の両端部にテープ部材が巻回されると共に、巻回方向が前記テープ部材と逆方向となるように前記第１及び第２の台紙の前記両端部を除く所定領域に帯状長尺のシート片保持部材が巻回され、かつ、前記テープ部材及び前記シート片保持部材が平面視略Ｓ字状となるように前記第１の台紙と前記第２の台紙とが懸架されると共に該第１及び第２の台紙が対向可能とされ、前記第１及び第２の台紙を対向状態から互いに逆方向に回動させたときに前記第１の台紙と前記第２の台紙との対向面同士が反転可能するように構成されていることを特徴としている。
【０００８】
また、本発明のアルバムは、前記テープ部材と前記シート片保持部材との長尺寸法が略同一寸法に形成されると共に、前記第１及び第２の台紙は前記テープ部材及び前記シート片保持部材の巻数に応じて複数回の反転が可能とされることを特徴としている。
【０００９】
また、本発明のアルバムは、前記テープ部材及び前記シート片保持部材の一端は前記第１の台紙に固着されると共に、他端は前記第２の台紙に固着されることを特徴としている。
【００１０】
さらに、本発明のアルバムは、前記シート片保持部材が、透明状のポケット型部材であることを特徴とし、或いは前記シート片保持部材が、粘着剤が塗布されたシート状部材と、該シート状部材に貼着可能とされた透明状の離形フィルムとからなることを特徴としている。
【００１１】
また、本発明のアルバムは、前記シート片保持部材が、透明状のポケット型部材からなると共に、前記第１及び第２の台紙上で前記ポケット型部材は複数に分割されていることを特徴としている。
【００１２】
また、本発明のアルバムは、前記シート片保持部材に保持されるシート片には、写真、シール部材、切手、葉書、領収書、パンフレットが含まれることを特徴としている。
【発明の効果】
【００１３】
本発明のアルバムによれば、第１及び第２の台紙の両端部にテープ部材が巻回されると共に、巻回方向が前記テープ部材と逆方向となるように前記第１及び第２の台紙の前記両端部を除く所定領域に帯状長尺のシート片保持部材が巻回され、かつ、前記テープ部材及び前記シート片保持部材が平面視略Ｓ字状となるように前記第１の台紙と前記第２の台紙とが懸架されると共に該第１及び第２の台紙が対向可能とされ、前記第１及び第２の台紙を対向状態から互いに逆方向に回動させたときに前記第１の台紙と前記第２の台紙との対向面同士が反転するように構成されているので、シート片をシート片保持部材に保持させた場合に、需要者が見たいシート片を常にアルバムの最上面に配することができ、したがって所望のシート片を最優先して見ることができ、また所望のシート片をシート片保持部材から容易に取り出すことができる。
【００１４】
また、本発明のアルバムは、前記テープ部材と前記シート片保持部材との長尺寸法が略同一寸法に形成されると共に、前記第１及び第２の台紙は前記テープ部材及び前記シート片保持部材の巻数に応じて複数回の反転が可能とされているので、複数のシート片を各シート片毎にシート片保持部材に保持させることにより、適宜、所期に応じて複数のシート片から選択された所望のシート片をアルバムの最上面に配することができ、所望のシート片を最優先して見たり或いはシート片保持部材から取り出すことができる。
【００１５】
さらに、本発明のアルバムは、前記シート片保持部材が、透明状のポケット型部材の場合は、シート片を容易に前記ポケット型部材に保持させて該シート片の内容を見たり該ポケット型部材から取り出すことができる。また、前記シート片保持部材が、粘着剤が塗布されたシート状部材と、該シート状部材に貼着可能とされた透明状の離形フィルムとからなる場合は、シート状部材にシート片を粘着させた後に離形フィルムをシート状部材に粘着させることにより、シート片は容易に保持されて該シート片の内容を見ることができ、また、離形フィルムを剥がすことによりシート片を取り出すことができる。
【００１６】
また、本発明のアルバムは、前記シート片保持部材が、透明状のポケット型部材からなると共に、前記第１及び第２の台紙上で前記ポケット型部材は複数に分割されているので、小紙片でも容易にポケット型部材内に保持し、また取り出すことができる。
【００１７】
また、本発明のアルバムは、前記シート片保持部材に保持されるシート片には、写真、シール部材、切手、葉書、領収書、パンフレットが含まれており、これにより様々なシール片を簡単な創意工夫で常に最優先して見ることのできる実用性に優れたアルバムを提供することができる。
【発明を実施するための最良の形態】
【００１８】
次に、本発明の実施の形態を図面に基づき詳説する。
【００１９】
図１は本発明に係るアルバムの一実施の形態（第１の実施の形態）を示す正面図であり、図２は図１のＡ−Ａ矢視図である。
【００２０】
図１及び図２において、アルバム１０は、第１の台紙１ａ、１ｂの上下両端部にテープ部材２ａ、２ｂが巻回されると共に、前記第１及び第２の台紙１ａ、１ｂの前記両端部を除く所定領域に帯状長尺のシート片保持部材３が巻回されて該シート片保持部材３は積層状とされ、上面には写真４ａが露見している。
【００２１】
前記シート状保持部材３は、ポリエチレン等の透明合成樹脂からなるポケット型とされ、前面部が後面部より高さが若干低くなるように形成され、写真４ａのシート状保持部材３からの挿脱が容易となるように構成されている。
【００２２】
図３は、第１の台紙１ａを矢印Ｂ方向に回動し、第２の台紙１ｂを矢印Ｃ方向  に回動した状態を示す図であって、このように第１の台紙１ａ及び第２の台紙１ｂの回動方向が互いに逆方向となるように操作することによりアルバム１０は見開き状態となり、次ページに保持されていた写真４ｂ、４ｃが露見する。
【００２３】
図４は図３のＤ−Ｄ矢視図であって、第１の台紙１ａ側ではテープ部材２ａが時計回り方向に巻回されると共に、該テープ部材２ａは第２の台紙１ｂに対して第１の台紙１ａから略Ｓ字状に懸架され、該第２の台紙１ｂ側ではテープ部材２ａは反時計回り方向に巻回されている。また、テープ部材２ａの基端は第１の台紙１ａに接着剤等で固着され、テープ部材２ａの先端は第２の台紙１ｂに接着剤等で固着されている。
【００２４】
尚、図示は省略するがテープ部材２ｂもテープ部材１ａと同様の巻回方向で第１及び第２の台紙１ａ、１ｂに巻回されている。
【００２５】
図５は図３のＥ−Ｅ矢視図であって、第１の台紙１ａ側ではシート片保持部材３が反時計回り方向に巻回されると共に、該シート片保持部材３は第２の台紙１ｂに対して第１の台紙１ａから略Ｓ字状に懸架され、該第２の台紙１ｂ側ではシート片保持部材３は時計回り方向に巻回されている。また、シート片保持部材３の基端は第１の台紙１ａに接着剤等で固着され、シート片保持部材３の先端は第２の台紙１ｂに接着剤等で固着されている。
【００２６】
そして、図４及び図５に示すようにテープ部材２ａ、２ｂとシート片保持部材３とは巻回方向が互いに逆方向となっている。
【００２７】
次いで、図３において、第１の台紙１ａ及び第２の台紙１ｂの回動方向が互いに逆方向となるように、第１の台紙１ａを矢印Ｆ方向に回動させ、第２の台紙１ｂを矢印Ｇ方向に回動させると、外見上は再度図１及び図２に示すような状態を呈し、写真４ｂ又は写真４ｃのうちの一方が上面に露見され、写真４ｂ又は写真４ｃのうちの他方が下面側に位置するようになる。
【００２８】
そして、この操作を繰り返すことにより、任意の写真を上面に配することができる。すなわち、テープ部材２ａ、２ｂとシート片保持部材３の長尺寸法を略同一とし、第１及び第２の台紙１ａ、１ｂに対するテープ部材２ａ、２ｂ及びシート片保持部材３の巻数に応じて第１の台紙１ａ及び第２の台紙１ｂを同時に矢印Ｂ、Ｆ、Ｃ、Ｇ方向にそれぞれ回動させることにより、第１及び第２の台紙１ａ、１ｂの対向面が反転し、これによりシート状保持部材３に保持された写真を随時その上面に露見させることができる。
【００２９】
このように本実施の形態によれば、常に需要者が見たいお気に入りの写真をアルバムの最上面に配して優先的に見たり、シート片保持部材３から容易に取り出すことができ、さらに最上面又は最下面に配された写真を表紙代わりとすることができる。
【００３０】
また、本発明によればユーザは頻繁に見たいが、第三者には知られたくない情報や見られたくない情報等を上面に配させることなく、下層側に隠すことができ、需要者の要望に沿ったアルバムを簡単な創意工夫で安価に実現することができる。
【００３１】
図６は本発明の第２の実施の形態を示すアルバムの正面図であって、上記第１の実施の形態ではシート片保持部材３はポケット型形状に形成されていたが、本第２の実施の形態では  前記シート片保持部材が、粘着剤が塗布されたシート状部材５と、該シート状部材５に貼着可能な透明状の離形フィルム６とから構成されている。そして、シート状部材５の表面に写真を保持させ、該写真を離形フィルム６で押圧することにより、写真が損傷することなくシート状部材５の表面に確固と保持され、上記第１の実施の形態と同様の作用効果を奏することができる。
【００３２】
図７は本発明の第３の実施の形態を示すアルバムの正面図であって、本第３の実施の形態では、シート片保持部材６が透明製のポケット型形状に形成されると共に、該シート片保持部材６が第１の台紙１ａ上で十字状に４分割され、また、図示は省略するが、第２の台紙上でも十字状に４分割されている。
【００３３】
このように本第３の実施の形態でも、上記第１の実施の形態に記載した効果に加え、小紙片でも容易にポケット型部材内に保持し、また取り出すことができるという効果を奏することができる。
【００３４】
図８は本発明の第４の実施の形態を示すアルバムの正面図であって、本第４の実施の形態では、シート片保持部材７が透明製のポケット型形状に形成されると共に、該シート片保持部材７が第１の台紙１ａ上で縦方向に３分割され、また、図示は省略するが、第２の台紙上でも縦方向に３分割されている。
【００３５】
このように本第４の実施の形態でも、上記第３の実施の形態と同様、上記第１の実施の形態に記載した効果に加え、小紙片でも容易にポケット型部材内に保持し、また取り出すことができるという効果を奏することができる。
【００３６】
尚、本発明は上記実施の形態に限定されるものではない。本実施の形態ではシート片保持部材に保持されるシート片として写真を例に挙げたが、写真、シール部材、切手、葉書、領収書、パンフレット等、その他の紙片についても同様に適用することができるのはいうまでもない。特にこれらのシート片の場合は使用頻度の多いシート片を常に最上面に配しておくことにより、ページ捲り等を要することなく容易に外部に取り出すことができる。
【図面の簡単な説明】
【００３７】
【図１】本発明に係るアルバムの一実施の形態（第１の実施の形態）を示す正面図ある。
【図２】図１のＡ−Ａ矢視図である。
【図３】第１の台紙を矢印Ｂ方向に、第２の台紙を矢印Ｃ方向に回動させた状態を示す図である。
【図４】図３のＤ−Ｄ矢視図である。
【図５】図３のＥ−Ｅ矢視図である。
【図６】本発明のアルバムの第２の実施の形態を示す正面図である。
【図７】本発明のアルバムの第３の実施の形態を示す正面図である。
【図８】本発明のアルバムの第３の実施の形態を示す正面図である。
【符号の説明】
【００３８】
１ａ  第１の台紙
１ｂ  第２の台紙
２ａ、２ｂ  テープ部材
３  シート片保持部材
４ａ〜４ｃ  写真
５  シート状部材
６  離形フィルム
【図１】
2004338416.tif 000003
【図２】
2004338416.tif 000004
【図３】
2004338416.tif 000005
【図４】
2004338416.tif 000006
【図５】
2004338416.tif 000007
【図６】
2004338416.tif 000008
【図７】
2004338416.tif 000009
【図８】
2004338416.tif 000010